(57)【要約】      （修正有）【課題】流し台天板等に取り付ける浄水器内に入れる濾材装填カートリッジの交換を容易に行なえる浄水器を提供する。【解決手段】カートリッジ２とそれを入れるケーシング３と、その開口を塞ぐ蓋体４とで構成する。カートリッジは有底筒状容器とし、上方開口から処理水を受け入れ、内部の濾材２ｅで濾過して底面中央から下方に突出して設けたカートリッジ側被処理水排出管２ｂから排出する。ケ−シングはカートリッジ容器より僅かに断面の大きい有底筒状容器とし、容器内面とカートリッジ外面との間に僅かな隙間を設ける。底面中央から下方に向け、カートリッジ側被処理水排出管外径より大きい内径のケーシング側被処理水排出管３ａをその上端側をケ−シング内方に僅かに突出させた状態で取り付ける。残る底面の一部に被処理水流入管３ｂを下方に突出して設け、ケ−シング上部外面には鍔を設ける。蓋体は開放側端部にケ−シング側鍔と重なる鍔を設けてボルトでケ−シングに固定する。【選択図】図７
0003230598.tif 000002
【実用新案登録請求の範囲】
【請求項１】
流し台の天板等に頭部を固定した状態で垂直取付け可能な浄水器であって、
該浄水器はカートリッジと、そのカートリッジを収納する上方が開口したケ−シングと、その開口を塞ぐ蓋体とで構成され、
前記カートリッジは被処理水を浄化する機構部分で、浄水器に注入された被処理水を有底筒状に形成されたカートリッジ容器の上方開口から受け入れ、内部に装填した濾材で濾過し、容器底面中央から下方に突出して設けた短いカートリッジ側被処理水排出管を通して排出するように構成されており、
前記ケ−シングは前記カートリッジ容器より僅かに断面が大きい有底筒状容器で、ケ−シングを収納した状態ではその筒内面とカートリッジ筒外面との間に僅かな隙間が生ずる大きさに形成されており、その底面中央から下方に向けては前記ケ−シングの被処理水排出管外径より大きい内径のケ−シング側被処理水排出管がその上端側をケ−シング内方に僅かに突出させた状態で取り付けてあり、残る低面の一部には被処理水流入管が下方に突出して取り付けてあり、ケ−シング上端より僅か下方の外周面にはケ−シング側鍔が設けてあり、ケ−シング内に前記カートリッジをそのカートリッジ側被処理水排出管をケ−シング側被処理水排出管内に挿入してカートリッジ底面をケ−シング側被処理水排出管の上端に接触させた状態ではカートリッジ上端がケ−シング上端より下方になるようにケ−シングとカートリッジの長さが調整してあり、
前記蓋体はケ−シングの上端と鍔上面との間隔より僅かに深く、ケ−シング上端が丁度嵌まる大きさの皿状蓋体で、その開放側端部にはケ−シング側鍔と重なる蓋体側鍔が形成され、ケ−シング側鍔と蓋体側鍔には両者を重ねた状態でボルト締め固定できるボルト穴が複数形成されていることを特徴とする浄水器。
【請求項２】
請求項１に記載の浄水器において、前記カートリッジ容器及びケ−シングの有底筒状容器は共に有底円筒状容器として形成されていること特徴とする浄水器。
【請求項３】
請求項１又は２に記載の浄水器において、前記カートリッジ容器の上端部には蓋体を取り付けたケ−シング内に納まる大きさの把手が取り付けてあることを特徴とする浄水器。
【請求項４】
請求項１乃至３の何れかに記載の浄水器において、前記カートリッジ容器の上端開口部は不織布で覆ってあることを特徴とする浄水器。
【考案の詳細な説明】
【技術分野】
【０００１】
本考案は、水道水等の浄化のため流し台の天板に取り付けて使用する浄水器に関する。
【背景技術】
【０００２】
水道水等の被処理水に含まれる塩素、その他の不純物の除去を目的として家庭用の浄水器が用いられることがある。設置場所としては水道の蛇口、流し台上、流し台下空間などがある。家庭用浄水器は定期的に内部の濾材を交換する必要がある。水道の蛇口に取り付ける浄水器は小型でなければならない制限がある。流し台下空間に設置する浄水器は濾材を収納した内部カートリッジの交換が面倒な問題がある。これに対して流し台上に載置する浄水器は内部カートリッジの交換が容易であり、形状を蛇口に取り付ける方式のものより大きくすることもできるが流し台上に載置するので作業の邪魔になる。
【０００３】
特許文献１にはアンダーシンク型浄水装置が開示されている。この浄水装置は流し台天板の下面に水平に取り付ける装置である。天板下面に取り付けるので形状が少し大きくても問題はない。しかし、この浄水装置は天板下面に取り付けるので、濾材を収納した内部カートリッジの交換が面倒である問題がある。
【先行技術文献】
【特許文献】
【０００４】
【特許文献１】特開２００６−１６９７８４号公報
【考案の開示】
【考案が解決しようとする課題】
【０００５】
本考案は、従来技術のこうした問題点を解決するためになされたもので、その課題は、流し台天板等に取り付ける方式の浄水器であって、浄水器内に入れてある濾材を収納した内部カートリッジの交換を容易に行うことのできる浄水器を提供することにある。
【課題を解決するための手段】
【０００６】
前記課題を解決するための請求項１に記載の考案は、流し台の天板等に頭部を固定した状態で垂直取付け可能な浄水器であって、該浄水器はカートリッジと、そのカートリッジを収納する上方が開口したケ−シングと、その開口を塞ぐ蓋体とで構成され、前記カートリッジは被処理水を浄化する機構部分で、浄水器に注入された被処理水を有底筒状に形成されたカートリッジ容器の上方開口から受け入れ、内部に装填した濾材で濾過し、容器底面中央から下方に突出して設けた短いカートリッジ側被処理水排出管を通して排出するように構成されており、前記ケ−シングは前記カートリッジ容器より僅かに断面が大きい有底筒状容器で、ケ−シングを収納した状態ではその筒内面とカートリッジ筒外面との間に僅かな隙間が生ずる大きさに形成されており、その底面中央から下方に向けては前記ケ−シングの被処理水排出管外径より大きい内径のケ−シング側被処理水排出管がその上端側をケ−シング内方に僅かに突出させた状態で取り付けてあり、残る低面の一部には被処理水流入管が下方に突出して取り付けてあり、ケ−シング上端より僅か下方の外周面にはケ−シング側鍔が設けてあり、ケ−シング内に前記カートリッジをそのカートリッジ側被処理水排出管をケ−シング側被処理水排出管内に挿入してカートリッジ底面をケ−シング側被処理水排出管の上端に接触させた状態ではカートリッジ上端がケ−シング上端より下方になるようにケ−シングとカートリッジの長さが調整してあり、前記蓋体はケ−シングの上端と鍔上面との間隔より僅かに深く、ケ−シング上端が丁度嵌まる大きさの皿状蓋体で、その開放側端部にはケ−シング側鍔と重なる蓋体側鍔が形成され、ケ−シング側鍔と蓋体側鍔には両者を重ねた状態でボルト締め固定できるボルト穴が複数形成されていることを特徴とする浄水器である。
【０００７】
このような構成によれば、ケ−シング被処理水流入管から供給された被処理水はカートリッジ底面とケ−シング底面との隙間、カートリッジ側面とケ−シング内面との隙間を通ってケ−シング上部に達し、そこからカートリッジ内に入り、内部の濾材で濾過され、底部のカートリッジ側被処理水排出管からケ−シング側被処理水排出管内に流出する。カートリッジはケ−シング内のケ−シング側被処理水排出管の上に乗っているだけであるので、その交換は蓋体を外すだけで簡単に行うことができる。
【０００８】
また、請求項２に記載の考案は、請求項１に記載の浄水器において、前記カートリッジ容器及びケ−シングの有底筒状容器は共に有底円筒状容器として形成されていること特徴とする浄水器である。
【０００９】
ケ−シング、カートリッジ容器を有底筒状容器としても請求項１に記載の浄水器と同様の効果を奏する。
【００１０】
また、請求項３に記載の考案は、請求項１又は２に記載の浄水器において、前記カートリッジ容器の上端部には蓋体を取り付けたケ−シング内に納まる大きさの把手が取り付けてあることを特徴とする浄水器である。
【００１１】
カートリッジの上部に把手がついていれば、交換作業が容易になる効果を奏する。
【００１２】
また、請求項４に記載の考案は、請求項１乃至３の何れかに記載の浄水器において、前記カートリッジ容器の上端開口部は不織布で覆ってあることを特徴とする浄水器である。
【００１３】
不織布で覆ってあれば、交換作業時にカートリッジ内の濾材が外部に漏れることがない。
【図面の簡単な説明】
【００１４】
【図１】浄水器１の外観斜視図である。
【図２】浄水器１の分解斜視図である。
【図３】カートリッジ２の平面図、底面図、断面図である。
【図４】ケ−シング３の平面図、底面図、断面図である。
【図５】蓋体４の縦断面図である。
【図６】ケ−シング３内にカートリッジ２を収納し蓋体４を被せた浄水器１の縦断面図である。
【図７】浄水器１内における被処理水の流れを示した断面図である。
【図８】浄水器１を流し台の天板６に取り付けた状態の縦断面図である。
【図９】浄水器１の天板６への固定部の拡大断面図である。
【図１０】板付きナット８の形状図である。
【図１１】把手３ｅを設けたカートリッジ３の形状図である。
【図１２】把手３ｅ付きのカートリッジ３の上端開口部を不織布で覆ったカートリッジの縦断面図である。
【考案を実施するための形態】
【００１５】
以下、本考案に係る浄水器の一実施形態について図面を参照して説明する。図１は本考案に係る浄水器１の外観斜視図、図２はその分解斜視図である。浄水器１はカートリッジ２と、そのカートリッジ２を挿入する上方が開口したケ−シング３と、その開口を塞ぐ蓋体４とで構成される。
【００１６】
カートリッジ２は被処理水を浄化処理するための濾材をカートリッジ容器２ａ内に収納した部分である。浄化処理を行う機構部分がカートリッジ形式にしてあるのは浄化処理する濾材は定期的に交換する必要があるため、その交換を濾材を収納したカートリッジ毎、簡単に行なうためである。本実施形態のカートリッジ容器２ａは、図３の（１）の平面図、図３の（２）の底面図、図３の（３）の縦断面図に示すような有底筒状容器である。浄水器１に注入された被処理水を上方開口から受け入れ、内部に装填した濾材（省略）で濾過し、容器底面中央から下方に突出して設けた短いカートリッジ側被処理水排出管２ｂを通して排出するように構成されている。
【００１７】
ケ−シング３はカートリッジ２を収納する部分であり、図４の（１）の平面図、図４の（２）の底面図、図４の（３）の縦断面図に示すような有底筒状容器に形成されている。その水平断面はカートリッジ容器２ａの水平断面より僅かに大きく形成されており、ケ−シング３を収納した状態ではその容器内面とカートリッジ容器２ａ外面との間に僅かな隙間が生ずるようにしてある。ケ−シング３の底面中央には、下方に向けてケ−シング側被処理水排出管３ａが取り付けてある。このケ−シング側被処理水排出管３ａの内径は、カートリッジ容器２ａのカートリッジ側被処理水排出管２ｂの外径より大きくしてある。また、ケ−シング側被処理水排出管３ａは、上端側をケ−シング３の内部に向けて少し突出させてある。ケ−シング３の残る底面の一部には、被処理水流入管３ｂが下方に突出して取り付けてある。更に、ケ−シング３の上端より僅か下方の外周面にはケ−シング側鍔３ｃが設けてある。
【００１８】
図５は、蓋体４の縦断面図である。蓋体４は皿状で、深さはケ−シング３の上端と鍔上面との間隔より僅かに深く、大きさはケ−シング３の上端部が丁度嵌まる大きさに形成されている。その開放側端部にはケ−シング側鍔３ｃと重なる蓋体側鍔４ａが形成されている。
【００１９】
図６はカートリッジ容器２ａ内に濾材を装填したカートリッジ２を収納し、蓋体４を被せた浄水器１の縦断面図である。カートリッジ２は底面から突出しているカートリッジ側被処理水排出管２ｂをケ−シング側被処理水排出管３ａ内に挿入し、カートリッジ２の底面がケ−シング３内に突出しているケ−シング側被処理水排出管３ａに乗った状態で収納される。この状態では、カートリッジ２の上端がケ−シング３上端より下方になるようにカートリッジ容器２ａの上下寸法、ケ−シング３の容器深さが調整してある。また、この状態では蓋体側鍔４ａとケ−シング側鍔３ｃとは重なるようにされている。
【００２０】
図７は、浄水器１により被処理水を浄化する際の浄水器１内における被処理水の流れを示した断面図である。浄水器１は蓋体４側を上方にした垂直姿勢で取り付ける。蓋体４は開かないようにケ−シング３にボルトで固定しておく。ケ−シング側鍔３ｃと蓋体側鍔４ａには両者を重ねた状態でボルト固定できるように貫通孔が複数設けてある。被処理水は被処理水流入管３ｂを通してケ−シング３内に注入する。
【００２１】
カートリッジ２は、底面がケ−シング３内に突出しているケ−シング側被処理水排出管３ａに乗った状態で収納されているためカートリッジ２底面とケ−シング３内底面との間には隙間が生じている。また、ケ−シング３の水平断面はカートリッジ容器２ａの水平断面より僅かに大きく形成されているため、ケ−シング３の容器内面とカートリッジ容器２ａ外面との間にも僅かな隙間が生じている。このため被処理水流入管３ｂを通してケ−シング３内に注入された被処理水は、これら二つの隙間を通ってケ−シング３の上部にまで上昇する。カートリッジ２の底面はケ−シング３内に突出しているケ−シング側被処理水排出管３ａに乗った状態で接触しているためその間に隙間はなく、ケ−シング３底面から注入された処理水が直接にケ−シング側被処理水排出管３ａ内に流れ込むことはない。なお、カートリッジ２の底面とケ−シング側被処理水排出管３ａ上端との接触部を通して僅かではあるが処理水がケ−シング側被処理水排出管３ａ内に流れ込む心配もあるため、図７に示したようにカートリッジ側被処理水排出管２ｂ外面とケ−シング側被処理水排出管３ａ内面との間にパッキング５を取り付けるとよい。
【００２２】
ケ−シング３の容器内面とカートリッジ容器２ａ外面との隙間を通ってケ−シング３上部に達した被処理水は、カートリッジ２の上方開口からカートリッジ２内に流れ込む。そして、カートリッジ２内に装填された濾材２ｂを通過することで濾過され、カートリッジ２底面のカートリッジ側被処理水排出管２ｂを通ってケ−シング側被処理水排出管３ａ内に流出する。このような経路を通ることで被処理水は浄化され、浄化済み水となってケ−シング側被処理水排出管３ａから流出する。蓋体４はケ−シング３にボルト固定されているため、流入する被処理水の水圧が高くても蓋体４が開くことはない。
【００２３】
水道水を浄化する場合には、浄水器１は台所の流し台の天板に取り付けておくのが便利である。ケ−シング３内のカートリッジ２の交換を容易に行なえるからである。図８は浄水器１を流し台の天板６に取り付けた状態の縦断面図、図９は天板６への固定部の拡大断面図である。天板６にはケ−シング３が丁度入る大きさの孔を開け、上部からカートリッジ２を収納したケ−シング３を挿入し、ケ−シング側鍔３ｃが天板６上面に接触して停止した状態とする。そのケ−シング３の開口部に蓋体４を、蓋体側鍔４ａがケ−シング側鍔３ｃに重なるように被せる。
【００２４】
蓋体側鍔４ａ、ケ−シング側鍔３ｃにはボルト７が通る共通の孔４ｂ、３ｄを図４、図５に示すように設けておく。天板６側には孔４ｂ、３ｄの下部にボルト７が通る貫通孔６ａを設けておく。天板６下面のボルト貫通孔６の周りには、図１０に示すような板付きナット８を取り付ける。板付きナット８は、四角（又は、円形）の固定板８ａの中央にボルト７の通る孔を設け、その孔の片面側にナット８ｂを溶接取付けしたものである。この板付きナット８を、ナット８ｂを下側にした状態でナット８ｂのネジ孔を天板６下面のボルト貫通孔６に一致させた状態で螺子で固定する。この状態で蓋体側鍔４ａの孔４ｂからボルト７を挿入し、その先端部をナット８ｂにねじ込んで締めつける。これにより浄水器１全体が天板６に固定取り付けされた状態となる。同時に蓋体側鍔４ａとケ−シング側鍔３ｃとが強く接触した状態となる。なお、蓋体側鍔４ａとケ−シング側鍔３ｃとの接触面隙間から処理水が漏れないように、両者の間にグムパッキン９を挟んでおくとよい。以上のような構成、取り付け方によれば、カートリッジ２の交換はボルト７を緩めて引き抜き、蓋体４を取り外してケ−シング３上方を開口させることで簡単に行なうことができる。
【００２５】
（変形実施形態１）
ケ−シング３内に収納するカートリッジ３は、図１１に示すような上部に把手３ｅを形成しておくとよい。即ち、カートリッジ３の水平断面形状を横長長方形とし、短辺部を外側に凸の半円形とする。そして、対向する長辺部の上端に、両者を渡る形の把手３ｅを形成する。把手３ｅの高さは、蓋４を取り付けたケ−シング３内に納まる寸法とする。このような把手３ｅを取り付けておけば、カートリッジ３交換作業が容易になる。
【００２６】
（変形実施形態２）
カートリッジ３の上端開口部は不織布２ｄで覆ってもよい。図１２は図１１に示した把手２ｃ付きのカートリッジ３の上端開口部を不織布で覆ったカートリッジの縦断面図である。
【００２７】
（変形実施形態３）
図１、図２に示した浄水器１は水平断面が横長形状にされているが、ケ−シング３、カートリッジ３ともに水平断面を円形とした有底円筒状に形成してもよい。
【符号の説明】
【００２８】
図面中、１は浄水器、２はカートリッジ、２ａはカートリッジ容器、２ｂはカートリッジ側被処理水排出管、２ｃは把手、２ｄは不織布、２ｅは濾材、３はケ−シング、３ａはケ−シング側被処理水排出管、３ｂは被処理水流入管、３ｃはケ−シング側鍔、３ｄはボルト穴、４は蓋体、４ａは蓋体側鍔、４ｂはボルト穴、６は天板、７はボルト、８は板付きナットを示す。
【図１】
0003230598.tif 000003
【図２】
0003230598.tif 000004
【図３】
0003230598.tif 000005
【図４】
0003230598.tif 000006
【図５】
0003230598.tif 000007
【図６】
0003230598.tif 000008
【図７】
0003230598.tif 000009
【図８】
0003230598.tif 000010
【図９】
0003230598.tif 000011
【図１０】
0003230598.tif 000012
【図１１】
0003230598.tif 000013
【図１２】
0003230598.tif 000014
【手続補正書】
【提出日】令和2年11月29日(2020.11.29)
【手続補正１】
【補正対象書類名】実用新案登録請求の範囲
【補正対象項目名】請求項１
【補正方法】変更
【補正の内容】
【請求項１】
流し台の天板に頭部を固定した状態で垂直取付け可能な浄水器であって、
該浄水器はカートリッジと、そのカートリッジを収納する上方が開口したケ−シングと、その開口を塞ぐ蓋体とで構成され、
前記カートリッジは被処理水を浄化する機構部分で、浄水器に注入された被処理水を有底筒状に形成されたカートリッジ容器の上方開口から受け入れ、内部に装填した濾材で濾過し、容器底面中央から下方に突出して設けた短いカートリッジ側被処理水排出管を通して排出するように構成されており、
前記ケ−シングは前記カートリッジ容器より僅かに断面が大きい有底筒状容器で、ケ−シングを収納した状態ではその筒内面とカートリッジ筒外面との間に僅かな隙間が生ずる大きさに形成されており、その底面中央から下方に向けては前記ケ−シングの被処理水排出管外径より大きい内径のケ−シング側被処理水排出管がその上端側をケ−シング内方に僅かに突出させた状態で取り付けてあり、残る低面の一部には被処理水流入管が下方に突出して取り付けてあり、ケ−シング上端より僅か下方の外周面にはケ−シング側鍔が設けてあり、ケ−シング内に前記カートリッジをそのカートリッジ側被処理水排出管をケ−シング側被処理水排出管内に挿入してカートリッジ底面をケ−シング側被処理水排出管の上端に接触させた状態ではカートリッジ上端がケ−シング上端より下方になるようにケ−シングとカートリッジの長さが調整してあり、
前記蓋体はケ−シングの上端と鍔上面との間隔より僅かに深く、ケ−シング上端が丁度嵌まる大きさの皿状蓋体で、その開放側端部にはケ−シング側鍔と重なる蓋体側鍔が形成され、ケ−シング側鍔と蓋体側鍔には両者を重ねた状態でボルト締め固定できるボルト穴が複数形成されていることを特徴とする浄水器。